(57)【特許請求の範囲】
【請求項１】
前方入口が開放しており、中央に設置された隔壁によって内部空間が上部のロービームリフレクタ空間と下部のハイビームリフレクタ空間とに分割されるリフレクタ、
前記上部のロービームリフレクタ空間に位置するように隔壁の上面内側に設置されるロービーム光源、
前記下部のハイビームリフレクタ空間に位置するように隔壁の下面内側に設置されるハイビーム光源、
前記隔壁先端に設置されるシールド、
前方にはレンズが装着され、後方は前記リフレクタの前面と結合するレンズホルダ、および
前記レンズホルダ内側の下部一端に設置されるシグナル反射面、
を含み、
前記シールドは薄膜シールドであり、シールド先端には光源が通過することができる孔が穿孔され、
前記孔は半円形態であることを特徴とする、薄膜シールドを用いたバイ・ファンクションＬＥＤヘッドランプ。
【請求項２】
前記ロービーム光源とハイビーム光源は、
ＬＥＤ光源であることを特徴とする、請求項１に記載の薄膜シールドを用いたバイ・ファンクションＬＥＤヘッドランプ。
【請求項３】
前記シグナル反射面は、
レンズホルダに一体に形成されることを特徴とする、請求項１に記載の薄膜シールドを用いたバイ・ファンクションＬＥＤヘッドランプ。
【請求項４】
前記シグナル反射面の上部前面は、
レンズ側を向くものであって、側面からみたときに、上部に進むほど後方に傾く傾斜面で形成されることを特徴とする、請求項３に記載の薄膜シールドを用いたバイ・ファンクションＬＥＤヘッドランプ。
【請求項５】
前記シグナル反射面の上部前面と上部後面の両側面は、
側面からみたときに、上部に進むほど幅が狭くなる傾斜面で形成されることを特徴とする、請求項３に記載の薄膜シールドを用いたバイ・ファンクションＬＥＤヘッドランプ。
【発明の詳細な説明】
【技術分野】
【０００１】
本発明は、薄膜シールドを用いたバイ・ファンクションＬＥＤヘッドランプに関し、より詳しくは、アクチュエータが必要なく、薄膜シールドを適用してＬＥＤの点消灯だけでロービームとハイビームを実現できるようにした薄膜シールドを用いたバイ・ファンクションＬＥＤヘッドランプに関する。
【背景技術】
【０００２】
一般的に、車両用ヘッドランプにおいて、バイ・ファンクション（Ｂｉ−Ｆｕｎｃｔｉｏｎ）モジュールのアクチュエータには、騒音発生、原価上昇、重量上昇のような短所がある。さらに、ＬＥＤバイ・ファンクション（ＬＥＤ  Ｂｉ−Ｆｕｎｃｔｉｏｎ）適用時にはアクチュエータがなくても作動が可能であるが、既存の位置に固定されたシールド（Ｓｈｉｅｌｄ）適用によってシグナル（Ｓｉｇｎａｌ）反射面の位置が不可となり、シグナル法規を満たすことが困難である。
【０００３】
車両ヘッドランプ技術の一例として、大韓民国公開特許公報第１０−２０１４−００３９８８４号には、「ムービングシールドを用い、ハイビームからロービームへの転換時にビームパターンの振動現象を防ぐようにした車両用ヘッドランプ」が開示されている。
【０００４】
また、大韓民国公開特許公報第１０−２０１４−００３６５２８号には、「レベリングに使用されるヘッドランプの回転構造に関する車両用ヘッドランプ」が開示されている。
【０００５】
なお、大韓民国公開特許公報第１０−２０１０−０１１４８０４号には、「１つのランプによって光線を下に照らすダウンモード機能と光線を上に照らすハイモード機能を実行するヘッドランプの駆動装置」が開示されている。
【０００６】
さらに、大韓民国特許登録第８６０６０９号には、「車両の走行環境に応じて多様なビームパターンを提供するプロジェクションタイプの車両用ヘッドランプアセンブリ」が開示されている。
【発明の概要】
【発明が解決しようとする課題】
【０００７】
上述した問題を解決するために、本発明は、アクチュエータが必要なく、薄膜シールドを適用してＬＥＤの点消灯だけでロービームとハイビームを実現できるようにした、薄膜シールドを用いたバイ・ファンクションＬＥＤヘッドランプを提供することを目的とする。
【課題を解決するための手段】
【０００８】
上述した目的を達成するために、本発明は、前方入口が開放しており、中央に設置された隔壁によって内部空間が上部のロービームリフレクタ空間と下部のハイビームリフレクタ空間とに分割されるリフレクタ、前記上部のロービームリフレクタ空間に位置するように隔壁の上面内側に設置されるロービーム光源、前記下部のハイビームリフレクタ空間に位置するように隔壁の下面内側に設置されるハイビーム光源、前記隔壁先端に設置されるシールド、前方にはレンズが装着され、後方は前記リフレクタ前面と結合するレンズホルダ、および前記レンズホルダ内側の下部一端に設置されるシグナル反射面を含むことを特徴とする、薄膜シールドを用いたバイ・ファンクションＬＥＤヘッドランプを提供する。
【０００９】
また、前記ロービーム光源とハイビーム光源は、ＬＥＤ光源であることを特徴とする。
【００１０】
また、前記シールドは薄膜シールドであり、シールド先端には光源が通過孔することができる孔が穿孔されることを特徴とする。
【００１１】
なお、前記孔は半円形態であることを特徴とする。
【００１２】
また、前記シグナル反射面は、レンズホルダに一体に形成されることを特徴とする。
【００１３】
なお、前記シグナル反射面の上部前面はレンズ側を向くものであって、側面からみたときに、上部に進むほど後方に傾く傾斜面で形成されることを特徴とする。
【００１４】
また、前記シグナル反射面の上部前面と上部後面の両側面は、側面からみたときに、上部に進むほど幅が狭くなる傾斜面で形成されることを特徴とする。
【発明の効果】
【００１５】
本発明に係る薄膜シールドを用いたバイ・ファンクションＬＥＤヘッドランプによると、薄膜シールドを適用してＬＥＤの点消灯だけでロービームとハイビームを実現することができる。
【００１６】
また、シグナル反射面がレンズホルダと一体に製作されることによって部品数と組立工数を節減することができ、組み立ての際に組立公差を除去することができる。
【００１７】
なお、従来のムービングシールドのように、ムービングシールドを駆動するためのアクチュエータ（ａｃｔｕａｔｏｒ）が必要ない。
【図面の簡単な説明】
【００１８】
【図１】本発明の好ましい実施形態による薄膜シールドを用いたバイ・ファンクションＬＥＤヘッドランプの斜視図である。
【図２】本発明の好ましい実施形態によるシグナル反射面の拡大図である。
【発明を実施するための形態】
【００１９】
図１は、本発明の好ましい実施形態による薄膜シールドを用いたバイ・ファンクションＬＥＤヘッドランプの斜視図であり、図２は、本発明の好ましい実施形態によるシグナル反射面の拡大図をそれぞれ示したものである。以下では、添付の図面を参照しながら、本発明に係る薄膜シールドを用いたバイ・ファンクションＬＥＤヘッドランプの構成について説明する。
【００２０】
本発明に係る薄膜シールドを用いたバイ・ファンクションＬＥＤヘッドランプは、図１に示すように、光源から照射する光を反射するリフレクタ１０と、リフレクタ１０内部の上下に設置されるロービーム光源２０およびハイビーム光源３０と、後方がリフレクタ１０の正面と結合するレンズホルダ６０を含む。
【００２１】
具体的に、リフレクタ１０は、ロービーム光源２０とハイビーム光源３０から照射する光を反射する役割をする。レンズホルダ６０と結合するリフレクタ１０の前方入口は開口した形態であり、リフレクタ１０の後方は詰まった形態である。リフレクタ１０内部は、中央に設置される隔壁１３により、上部のロービームリフレクタ空間１１と下部のハイビームリフレクタ空間１２とに分割される。
【００２２】
ロービームリフレクタ空間１１側の隔壁１３上面の内側一端にはロービーム光源２０が設置される。ハイビームリフレクタ空間１２側の隔壁１３下面の内側一端にはハイビーム光源３０が設置される。ロービーム光源２０とハイビーム光源３０は、ＬＥＤ（ＬＥＤ：Ｌｉｇｈｔ−Ｅｍｉｔｔｉｎｇ  Ｄｉｏｄｅ）光源であってもよい。
【００２３】
隔壁１３の先端にはシールド４０が設置される。シールド４０は、ロービーム光源２０およびハイビーム光源３０から照射する光の進行方向の一部分を制限し、車両前方に照射する光のパターンを可変させる役割をする。
【００２４】
本発明のシールド４０は薄い薄膜シールド（Ｔｈｉｎ  Ｓｈｉｅｌｄ）であり、ハイビームが最小の干渉だけを受けるように設計された構造である。このため、シールド４０の先端には、光源が通過することができる半円形孔４１が穿孔されている。この半円形孔４１から、ロービーム光源２０とハイビーム光源３０の光が通過することができる。シールド４０の中心部厚さは約０．１ｍｍと極めて薄い。このようなシールド４０を用いてロービームを生成し、さらにシールド４０が極めて薄いため、ハイビームが最小の干渉だけを受ける。
【００２５】
レンズホルダ６０は、レンズ５０とリフレクタ１０を連結する役割をする。レンズホルダ６０の前方にはレンズ５０が装着され、レンズホルダ６０の後方はリフレクタ１０の前方と結合する。レンズ５０は非球面レンズである。
【００２６】
レンズホルダ６０内側の下部一端にはシグナル反射面６１が形成される。このようなシグナル（Ｓｉｇｎａｌ）反射面は、組立工数を減らすためにレンズホルダ６０と一体に製作されることが好ましい。
【００２７】
具体的に、シグナル反射面６１の上部前面６１１と上部後面６１２は、図２に示すように、側面からみたときに、上向に進むほど幅が狭くなる傾斜面で形成される。シグナル反射面６１の上部後面６１２はリフレクタ１０側を向き、シグナル反射面６１の上部前面６１１はレンズ５０側を向くように設置される。
【００２８】
図１に表示された点線のように、シグナル反射面６１の上部前面６１１は、ビームがシグナルゾーンに進むことができるようにするために必ず傾斜面でなければならない。上部後面６１２は必ずしも傾斜面である必要はないが、上部後面６１２は面積を減らすために傾斜面で形成されることが好ましい。
【００２９】
以下、本発明に係る薄膜シールドを用いたバイ・ファンクションＬＥＤヘッドランプの作用について具体的に説明する。
【００３０】
図１および図２に示すように、本発明に係る薄膜シールドを用いたバイ・ファンクションＬＥＤヘッドランプは、ロービーム光源２０とハイビーム光源３０の点消灯だけでロービームとハイビーム（Ｌｏｗ  ｂｅａｍ  ＆  Ｈｉｇｈ  ｂｅａｍ）のバイ・ファンクション（Ｂｉ−ｆｕｎｃｔｉｏｎ）を実現することができる。
【００３１】
具体的に、ハイビーム光源３０に電源を印加すると、図１に示すように、ハイビーム光源３０の光がハイビームリフレクタ空間１２の内壁面で反射する。ハイビームリフレクタ空間１２の内壁面で反射した光は、シールド４０の半円形孔４１とレンズ５０を順に通過してハイビームを形成する。
【００３２】
これとは反対に、ロービーム光源２０に電源を印加すると、ロービーム光源２０の光がロービームリフレクタ空間１１の内壁面で反射する。ロービームリフレクタ空間１１の内壁面で反射した光は、シールド４０の半円形孔４１とレンズ５０を順に通過してロービームを形成する。
【００３３】
このとき、ロービームリフレクタ空間１１の内壁面で反射したロービーム光源２０うち一部の光が、シグナル反射面６１の上部前面６１１によってシグナルゾーンで反射するため、シグナル法規領域である左右−８〜８度、上下２〜４度を満たすことができる。
【００３４】
このように、本発明に係る薄膜シールドを用いたバイ・ファンクションＬＥＤヘッドランプは、薄膜シールドを適用してＬＥＤの点消灯だけでロービームとハイビームを実現することができる。また、シグナル反射面がレンズホルダと一体に製作されることによって部品数と組立工数を節減することができ、組み立ての際に組立公差を取り除くことができる。また、従来のムービングシールドのように、ムービングシールドを駆動するためのアクチュエータが必要ない。
【００３５】
以上、添付の図面を参照しながら本発明の好ましい実施形態について詳しく説明したが、これは例示に過ぎず、本発明の技術的思想の範疇内で多様な変形と変更が可能である。したがって、本発明の権利範囲は、添付の特許請求の範囲の記載によって定められなければならない。
【符号の説明】
【００３６】
１０  ・・・リフレクタ
１１  ・・・ロービームリフレクタ空間
１２  ・・・ハイビームリフレクタ空間
１３  ・・・隔壁
２０  ・・・ロービーム光源
３０  ・・・ハイビーム光源
４０  ・・・シールド
４１  ・・・孔
５０  ・・・レンズ
６０  ・・・レンズホルダ
６１  ・・・シグナル反射面
６１１  ・・・上部前面
６１２  ・・・上部後面
【図１】
0005990615.tif 000002
【図２】
0005990615.tif 000003